【手続補正書】
【提出日】平成21年11月2日(2009.11.2)
【手続補正１】
【補正対象書類名】特許請求の範囲
【補正対象項目名】全文
【補正方法】変更
【補正の内容】
【特許請求の範囲】
【請求項１】
撮影光軸に沿って配置された複数の光学部材を介して撮像素子により画像を撮影する撮影手段と、
振れの方向及び量を検出する振れ検出手段と、
上記振れ検出手段で得た振れの方向及び量に基づいて、上記撮像素子又は上記撮影手段を構成する少なくとも１つの光学部材を上記撮影光軸と直交する平面に沿って移動させる移動手段と、
上記移動手段による上記撮像素子の移動内容に対応して、上記撮影手段を構成する少なくとも１つの光学部材の撮影光軸上の位置を補正する補正手段と
を具備したことを特徴とする撮像装置。
【請求項２】
上記撮影手段は、光学部材の１群として合焦位置を移動させるフォーカスレンズを含み、上記補正手段は、上記フォーカスレンズの位置を補正することを特徴とする請求項１記載の撮像装置。
【請求項３】
上記撮影手段は、光学部材の１群として撮影画角を可変するズームレンズを含み、
上記補正手段は、上記ズームレンズの位置を補正することを特徴とする請求項又は２に記載の撮像装置。
【請求項４】
上記振れ防止手段による上記撮像素子の移動内容に対応して光学部材の撮影光軸上の位置補正量を記憶する第１の記憶手段をさらに具備し、
上記移動手段による上記撮像素子の移動内容に対応する位置を上記第１の記憶手段から読み出して、この位置にくるように上記光学部材の位置を補正することを特徴とする請求項１乃至３のいずれか１項に記載の撮像装置。
【請求項５】
上記移動手段による上記撮像素子の移動内容に対応して、上記撮像素子で得た画像データに対する所定の画像処理を実行する画像処理手段をさらに具備することを特徴とする請求項１乃至４のいずれか１項に記載の撮像装置。
【請求項６】
上記画像処理手段が実行する画像処理は歪曲補正を含むことを特徴とする請求項５記載の撮像装置。
【請求項７】
上記画像処理手段が実行する画像処理は周辺減光補正を含むことを特徴とする請求項５または６記載の撮像装置。
【請求項８】
上記移動手段による上記撮像素子の移動内容に対応して上記画像処理手段が実行する画像処理に用いるパラメータ値を記憶する第２の記憶手段をさらに具備し、
上記画像処理手段は、上記第２の記憶手段の記憶するパラメータ値に基づいて画像処理を実行する
ことを特徴とする請求項５乃至７のいずれか１項に記載の撮像装置。
【請求項９】
前記移動手段は、前記撮像素子に対し移動可能に、前記撮像素子と一体的に構成されることを特徴とする請求項１乃至８のいずれか１項に記載の撮像装置。
【請求項１０】
撮影光軸に沿って配置された複数の光学部材を介した画像を撮像する撮像装置に備えられる振れ補正装置であって、
振れの方向及び量を検出する振れ検出手段と、
上記振れ検出手段で得た振れの方向及び量に基づいて、上記撮像装置が備える撮像素子を上記撮影光軸と直交する平面に沿って移動させる移動手段と、
上記移動手段による上記撮像素子の移動内容に対応して、上記複数の光学部材の少なくとも１つの撮影光軸上の位置を補正する補正手段と
を具備したことを特徴とする振れ補正装置。
【請求項１１】
撮影光軸に沿って配置された複数の光学部材を介した画像を撮像する撮像装置の振れ補正方法であって、
振れの方向及び量を検出する振れ検出ステップと、
上記振れ検出ステップにて得た振れの方向及び量に基づいて、上記撮像装置が備える撮像素子又は上記撮像部を構成する少なくとも１つの光学部材を上記撮影光軸と直交する平面に沿って移動させる移動ステップと、
上記移動ステップにて移動した上記撮像素子の移動内容に対応して、上記複数の光学部材の少なくとも１つの撮影光軸上の位置を補正する補正ステップと
を含むことを特徴とする振れ補正方法。
【請求項１２】
撮影光軸に沿って配置された振れ補正用光学部材を含む複数の光学部材を介して撮像素子により画像を撮影する撮影部を備えた撮像装置が内蔵するコンピュータを、
振れの方向及び量を検出する振れ検出手段、
上記振れ検出手段で得た振れの方向及び量に基づいて、上記撮像素子又は上記撮影手段を構成する少なくとも１つの光学部材を上記撮影光軸と直交する平面に沿って移動させる移動手段、
上記移動手段による上記撮像素子の移動内容に対応して、上記撮影手段を構成する少なくとも１つの光学部材の撮影光軸上の位置を補正する補正手段
として機能させることを特徴とするプログラム。
【手続補正２】
【補正対象書類名】明細書
【補正対象項目名】０００６
【補正方法】変更
【補正の内容】
【０００６】
請求項１記載の発明は、撮影光軸に沿って配置された複数の光学部材を介して撮像素子により画像を撮影する撮影手段と、振れの方向及び量を検出する振れ検出手段と、上記振れ検出手段で得た振れの方向及び量に基づいて、上記撮像素子又は上記撮影手段を構成する少なくとも１つの光学部材を上記撮影光軸と直交する平面に沿って移動させる移動手段と、上記移動手段による上記撮像素子の移動内容に対応して、上記撮影手段を構成する少なくとも１つの光学部材の撮影光軸上の位置を補正する補正手段とを具備したことを特徴とする。
【手続補正３】
【補正対象書類名】明細書
【補正対象項目名】０００７
【補正方法】変更
【補正の内容】
【０００７】
請求項２記載の発明は、上記請求項１記載の発明において、上記撮影手段は、光学部材の１群として合焦位置を移動させるフォーカスレンズを含み、上記補正手段は、上記フォーカスレンズの位置を補正することを特徴とする。
【手続補正４】
【補正対象書類名】明細書
【補正対象項目名】０００８
【補正方法】変更
【補正の内容】
【０００８】
請求項３記載の発明は、上記請求項１または２記載の発明において、上記撮影手段は、光学部材の１群として撮影画角を可変するズームレンズを含み、上記補正手段は、上記ズームレンズの位置を補正することを特徴とする。
【手続補正５】
【補正対象書類名】明細書
【補正対象項目名】０００９
【補正方法】変更
【補正の内容】
【０００９】
請求項４記載の発明は、上記請求項１乃至３のいずれか１項に記載の発明において、上記振れ防止手段による上記撮像素子の移動内容に対応して光学部材の撮影光軸上の位置補正量を記憶する第１の記憶手段をさらに具備し、上記移動手段による上記撮像素子の移動内容に対応する位置を上記第１の記憶手段から読み出して、この位置にくるように上記光学部材の位置を補正することを特徴とする。
【手続補正６】
【補正対象書類名】明細書
【補正対象項目名】００１０
【補正方法】変更
【補正の内容】
【００１０】
請求項５記載の発明は、上記請求項１乃至４のいずれか１項に記載の発明において、上記移動手段による上記撮像素子の移動内容に対応して、上記撮像素子で得た画像データに対する所定の画像処理を実行する画像処理手段をさらに具備することを特徴とする。
【手続補正７】
【補正対象書類名】明細書
【補正対象項目名】００１１
【補正方法】変更
【補正の内容】
【００１１】
請求項６記載の発明は、上記請求項５記載の発明において、上記画像処理手段が実行する画像処理は歪曲補正を含むことを特徴とする。
【手続補正８】
【補正対象書類名】明細書
【補正対象項目名】００１２
【補正方法】変更
【補正の内容】
【００１２】
請求項７記載の発明は、上記請求項５または６に記載の発明において、上記画像処理手段が実行する画像処理は周辺減光補正を含むことを特徴とする。
【手続補正９】
【補正対象書類名】明細書
【補正対象項目名】００１３
【補正方法】変更
【補正の内容】
【００１３】
請求項８記載の発明は、上記請求項５乃至７のいずれか１項に記載の発明において、上記移動手段による上記撮像素子の移動内容に対応して上記画像処理手段が実行する画像処理に用いるパラメータ値を記憶する第２の記憶手段をさらに具備し、上記画像処理手段は、上記第２の記憶手段の記憶するパラメータ値に基づいて画像処理を実行することを特徴とする。
【手続補正１０】
【補正対象書類名】明細書
【補正対象項目名】００１４
【補正方法】変更
【補正の内容】
【００１４】
請求項９記載の発明は、上記請求項１乃至８のいずれか１項に記載の発明において、上前記移動手段は、前記撮像素子に対し移動可能に、前記撮像素子と一体的に構成されることを特徴とする。
【手続補正１１】
【補正対象書類名】明細書
【補正対象項目名】００１５
【補正方法】変更
【補正の内容】
【００１５】
請求項１０記載の発明は、撮影光軸に沿って配置された複数の光学部材を介した画像を撮像する撮像装置に備えられる振れ補正装置であって、振れの方向及び量を検出する振れ検出手段と、上記振れ検出手段で得た振れの方向及び量に基づいて、上記撮像装置が備える撮像素子を上記撮影光軸と直交する平面に沿って移動させる移動手段と、上記移動手段による上記撮像素子の移動内容に対応して、上記複数の光学部材の少なくとも１つの撮影光軸上の位置を補正する補正手段とを具備したことを特徴とする。
【手続補正１２】
【補正対象書類名】明細書
【補正対象項目名】００１６
【補正方法】変更
【補正の内容】
【００１６】
請求項１１記載の発明は、撮影光軸に沿って配置された複数の光学部材を介した画像を撮像する撮像装置の振れ補正方法であって、振れの方向及び量を検出する振れ検出ステップと、上記振れ検出ステップにて得た振れの方向及び量に基づいて、上記撮像装置が備える撮像素子又は上記撮像部を構成する少なくとも１つの光学部材を上記撮影光軸と直交する平面に沿って移動させる移動ステップと、上記移動ステップにて移動した上記撮像素子の移動内容に対応して、上記複数の光学部材の少なくとも１つの撮影光軸上の位置を補正する補正ステップとを含むことを特徴とする。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
請求項１２記載の発明は、撮影光軸に沿って配置された振れ補正用光学部材を含む複数の光学部材を介して撮像素子により画像を撮影する撮影部を備えた撮像装置が内蔵するコンピュータを、振れの方向及び量を検出する振れ検出手段、上記振れ検出手段で得た振れの方向及び量に基づいて、上記撮像素子又は上記撮影手段を構成する少なくとも１つの光学部材を上記撮影光軸と直交する平面に沿って移動させる移動手段、上記移動手段による上記撮像素子の移動内容に対応して、上記撮影手段を構成する少なくとも１つの光学部材の撮影光軸上の位置を補正する補正手段として機能させることを特徴とする。